【手続補正書】
【提出日】令和2年9月3日(2020.9.3)
【手続補正１】
【補正対象書類名】明細書
【補正対象項目名】００３１
【補正方法】変更
【補正の内容】
【００３１】
より詳細には、図１に示すように、内周側溝部分１９は水平方向に延びる下側壁面部１９ａと、下側壁面部１９ａのＺ２方向で下側壁面部１９ａと平行に延びる上側壁面部１９ｂと、下側壁面部１９ａと上側壁面部１９ｂとを接続する底部１８ａとを備える。第１爪部２５は下側壁面部１９ａのＸ１方向の端部分からＺ２方向に突出する。第１爪部２５の上端には底部１８ａの側に突出する第１突部２７が設けられている。一方、外周側溝部分２１は水平方向に延びる下側壁面部２１ａと、下側壁面部２１ａのＺ２方向で下側壁面部２１ａと平行に延びる上側壁面部２１ｂと、下側壁面部２１ａと上側壁面部２１ｂとを接続する底部１８ａとを備える。第２爪部２６は外周側溝部分２１の上側壁面部２１ｂのＸ１方向の端部分からＺ１方向に突出する。第２爪部２６の下端には底部１８ａの側に突出する第２突部２８が設けられている。
【手続補正２】
【補正対象書類名】明細書
【補正対象項目名】００３２
【補正方法】変更
【補正の内容】
【００３２】
ここで、支持体４をＹ１方向の側から（水平方向）から見た場合に、第１爪部２５と第２爪部２６とは部分的に重なっている。また、第１爪部２５と第２爪部２６とは、配線配置溝１８の内側に設けられており、端板部１１の端面１１ａからＸ１方向に突出していない。
【手続補正３】
【補正対象書類名】明細書
【補正対象項目名】００４９
【補正方法】変更
【補正の内容】
【００４９】
また、可動カバー２は、カバー端板部８３の外周縁において突出端板部分８５の下端縁８５ａを除く外周縁部分からＸ２方向に延びるカバー側板部８６を備える。可動カバー２において、カバー側板部８６が設けられていない部分は、Ｚ１方向に開口する矩形の切欠き開口８７となっている。すなわち、可動カバー２は、Ｚ１方向に開口する矩形の切欠き開口８７を備える。なお、可動カバー２は、冷気流路の外側で開口部Ｏに対向する位置に遠心ファンが配置される場合、すなわち、支持体４の３本のファン固定用軸３１〜３３の先端部分に遠心ファンが連結される場合、カバー端板部８３およびカバー側板部８６により区画される空間内に当該遠心ファンを収容することが可能な形状とされている。
【手続補正４】
【補正対象書類名】明細書
【補正対象項目名】００５３
【補正方法】変更
【補正の内容】
【００５３】
図２に示すように、２つのガイド穴１０４、１０５は、支持体４に設けられた２つのガイド軸３４、３５とともに可動カバー２をＸ方向に案内するガイド機構３０を構成する。２つのガイド穴１０４、１０５は、カバー側板部８６の外周側に形成された第１突出部８８および第２突出部８９の貫通穴８８ａ、８９ａである。第１突出部８８の貫通穴８８ａには、支持体４の端板部１１におけるカバー側板部８６の側のＺ１方向の側の部分に設けられたガイド軸３４がＸ１方向の側から挿入される。第２突出部８９の貫通穴８９ａには、端板部１１におけるカバー側板部８６とは反対側のＺ２方向の側の部分に設けられたガイド軸３５がＸ１方向の側から挿入される。
【手続補正５】
【補正対象書類名】明細書
【補正対象項目名】００６０
【補正方法】変更
【補正の内容】
【００６０】
配線係止部４５からＺ２方向に引き出された配線５は、第２抜け止め部分５６の端板側（Ｘ１方向）を経由した後に更に側面１２ａに沿ってＺ２方向に引き出される。そして、第２結束部４７の端板側（Ｘ１方向側）を延び、結束バンド５９により第２結束部４７に結束される。すなわち、配線５は、溝６０に挿入されて下側突部６１と上側突部６２との間を連結部分６３に巻き回される結束バンド５９によって、第２結束部４７に固定される。
【手続補正６】
【補正対象書類名】明細書
【補正対象項目名】００６８
【補正方法】変更
【補正の内容】
【００６８】
また、配線５は、端面１１ａに設けられた配線配置溝１８内を引き回される。これによ
り、駆動ユニット３（支持体４の支持部１３）と配線係止部４５との間の配線５が外部の機器などと接触することを防止できる。従って、駆動ユニット３と配線係止部４５との間の配線部分に外部から配線５を引っ張るような力が加わることを防止できる。よって、駆動ユニット３から配線５が外れてしまうことを防止或いは抑制できる。
【手続補正７】
【補正対象書類名】明細書
【補正対象項目名】００７５
【補正方法】変更
【補正の内容】
【００７５】
さらに、第１爪部２５はＺ２方向に突出し、第２爪部２６はＺ１方向に突出し、設置姿勢１Ａの支持体４を側面１２ａの側から見た場合に、第１爪部２５と第２爪部２６とは部分的に重なっている。従って、配線配置溝１８内を引き回した配線５が、配線配置溝１８から浮き上がって、端面１１ａの表面の側に移動してしまうことを確実に防止できる。
【手続補正８】
【補正対象書類名】明細書
【補正対象項目名】００８４
【補正方法】変更
【補正の内容】
【００８４】
配線係止部４５からＺ２方向に引き出された配線５は、第１抜け止め部分５４の端板側（Ｘ１方向）を経由した後に更に側面１２ａに沿ってＺ２方向に引き出される。そして、第１結束部４６の端板側（Ｘ１方向側）を延び、結束バンド５９により第１結束部４６に結束される。すなわち、配線５は、溝６０に挿入されて下側突部６１と上側突部６２との間を連結部分６３に巻き回される結束バンド５９によって、第１結束部４６に固定される。
【手続補正９】
【補正対象書類名】明細書
【補正対象項目名】００８６
【補正方法】変更
【補正の内容】
【００８６】
また、配線５は、端面１１ａに設けられた配線配置溝１８内を引き回される。これにより、駆動ユニット３（支持体４の支持部１３）と配線係止部４５との間の配線５が外部の機器などと接触することを防止できる。従って、駆動ユニット３と配線係止部４５との間の配線部分に外部から配線５を引っ張るような力が加わることを防止できる。よって、駆動ユニット３から配線５が外れてしまうことを防止或いは抑制できる。
【手続補正１０】
【補正対象書類名】明細書
【補正対象項目名】００９２
【補正方法】変更
【補正の内容】
【００９２】
さらに、第１爪部２５はＺ１方向に突出し、第２爪部２６はＺ２方向に突出し、設置姿勢１Ｂ の支持体４を側面１２ａの側から見た場合に、第１爪部２５と第２爪部２６とは部分的に重なっている。従って、配線配置溝１８内を引き回した配線５が、配線配置溝１８から浮き上がって、端面１１ａの表面の側に移動してしまうことを確実に防止できる。
【手続補正１１】
【補正対象書類名】明細書
【補正対象項目名】０１０４
【補正方法】変更
【補正の内容】
【０１０４】
１…ダンパ装置、１Ａ…ダンパ装置の設置姿勢、２…可動カバー、２Ａ…可動カバーの第１位置、２Ｂ…可動カバーの第２位置、３…駆動ユニット、４…支持体、５…配線、１１…端板部、１１ａ…端面（第１面）、１１ｂ…貫通穴、１１ｃ…対向面、１２…側板部、１２ａ…側面（第２面）、１３…支持部、１５…第１筒部、１５ａ…中心穴、１６…第２筒部、１６ａ…中心穴、１８…配線配置溝（配線配置部）、１８ａ…底部、１８ｂ…端部開口、１９…内周側溝部分、１９ａ…下側壁面部、１９ｂ…上側壁面部、２０…傾斜溝部分、２１…外周側溝部分、２１ａ…下側壁面部、２１ｂ…上側壁面部、２２…開口部、２３…筒部、２４…筒状リブ、２５…第１爪部、２６…第２爪部、２７…第１突部、２８…第２突部、３０…ガイド機構、３１〜３３…ファン固定用軸、３４・３５…ガイド軸、３７〜３９…緩衝部材、４１〜４３…凹部、４５…配線係止部、４６…第１結束部（係止部）、４７…第２結束部（係止部）、５１…突出部分、５２…第１係止部分、５３…第２係止部分、５４…第１抜け止め部分、５５…第１傾斜部、５６…第２抜け止め部分、５７…第２傾斜部、５９…結束バンド（結束部材）、６０…溝、６１…下側突部、６２…上側突部、６３…連結部分、６５…ギアードモータ、６６…回転体、６７…モータ本体、６８…出力歯車、６９…減速輪列、７０…給電部、７１…端板部材、７２…ケース、７２ａ…開口部、７４…ネジ、７５…底板部、７６…円筒部、７７ｂ…スプライン、７７…噛合部、７７ａ…貫通穴、７８…フランジ部、７８ａ…穴、８０…係合部、８０ａ…端部、８３…カバー端板部、８３ａ…対向面、８４…円形端板部分、８５…突出端板部分、８５ａ…下端縁、８６…カバー側板部、８７…切欠き開口、８８…第１突出部、８８ａ…貫通穴、８９…第２突出部、８９ａ…貫通穴、９１…回転体配置部、９２…円盤部、９３…回転体配置穴、９４…送りネジ機構、９５…被係合部、９６…張出部、１０１〜１０３…貫通穴、１０４・１０５…ガイド穴、１０７〜１０９…円形凹部、１１１〜１１３…凸部、１１１ａ〜１１３ａ…各凸部の先端面、ＣＷ…時計回り、ＣＣＷ…反時計回り、Ｌ…軸線、Ｏ…開口部